【手続補正書】
【提出日】平成21年1月12日(2009.1.12)
【手続補正１】
【補正対象書類名】明細書
【補正対象項目名】発明の名称
【補正方法】変更
【補正の内容】
【発明の名称】発光素子用材料の評価方法及び発光素子の製造方法
【手続補正２】
【補正対象書類名】特許請求の範囲
【補正対象項目名】全文
【補正方法】変更
【補正の内容】
【特許請求の範囲】
【請求項１】
発光素子用材料の吸収強度を測定する第１のステップと、
前記第１のステップの後、前記発光素子用材料に対し、所定の時間、ストレスを与える第２のステップと、
前記第２のステップの後、前記発光素子用材料の吸収強度を測定する第３のステップと、
前記第１のステップにおける前記発光素子用材料の吸収強度の測定結果と、前記第３のステップにおける前記発光素子用材料の吸収強度の測定結果とを用いて、前記発光素子用材料の光化学安定性を評価する第４のステップと、
を有することを特徴とする発光素子用材料の評価方法。
【請求項２】
発光素子用材料の吸収強度を測定する第１のステップと、
前記第１のステップの後、前記発光素子用材料に対し、所定の時間、前記発光素子用材料の励起に係る骨格に因って吸収される波長成分を含む光を照射する第２のステップと、
前記第２のステップの後、前記発光素子用材料の吸収強度を測定する第３のステップと、
前記第１のステップにおける前記発光素子用材料の吸収強度の測定結果と、前記第３のステップにおける前記発光素子用材料の吸収強度の測定結果とを用いて、前記発光素子用材料の光化学安定性を評価する第４のステップと、
を有することを特徴とする発光素子用材料の評価方法。
【請求項３】
発光素子用材料の吸収強度を測定する第１のステップと、
前記第１のステップの後、前記発光素子用材料に対し、所定の時間、ストレスを与える第２のステップと、
前記第２のステップの後、前記発光素子用材料の吸収強度を測定する第３のステップと、
前記第２のステップと前記第３のステップとを繰り返し行う第４のステップと、
前記第４のステップの後、前記第１のステップにおける前記発光素子用材料の吸収強度の測定結果と、繰り返し行われた前記第３のステップにおける前記発光素子用材料の吸収強度の測定結果それぞれとを用いて、前記発光素子用材料の光化学安定性を評価する第５のステップと、
を有することを特徴とする発光素子用材料の評価方法。
【請求項４】
発光素子用材料の吸収強度を測定する第１のステップと、
前記第１のステップの後、前記発光素子用材料に対し、所定の時間、前記発光素子用材料の励起に係る骨格に因って吸収される波長成分を含む光を照射する第２のステップと、
前記第２のステップの後、前記発光素子用材料の吸収強度を測定する第３のステップと、
前記第２のステップと前記第３のステップとを繰り返し行う第４のステップと、
前記第４のステップの後、前記第１のステップにおける前記発光素子用材料の吸収強度の測定結果と、繰り返し行われた前記第３のステップにおける前記発光素子用材料の吸収強度の測定結果それぞれとを用いて、前記発光素子用材料の光化学安定性を評価する第５のステップと、
を有することを特徴とする発光素子用材料の評価方法。
【請求項５】
請求項２または４において、前記光は３２０ｎｍ以上の波長成分を含むことを特徴とする発光素子用材料の評価方法。
【請求項６】
請求項１乃至５のいずれか一において、前記発光素子用材料はアントラセン誘導体であることを特徴とする発光素子用材料の評価方法。
【請求項７】
一対の電極間に、発光素子用材料を含む発光層を有する発光素子の製造方法であって、
前記発光素子用材料の吸収強度を測定する第１のステップと、
前記第１のステップの後、前記発光素子用材料に対し、所定の時間、ストレスを与える第２のステップと、
前記第２のステップの後、前記発光素子用材料の吸収強度を測定する第３のステップと、
前記第１のステップにおける前記発光素子用材料の吸収強度の測定結果と、前記第３のステップにおける前記発光素子用材料の吸収強度の測定結果とを用いて、前記発光素子用材料の光化学安定性を評価する第４のステップと、
前記第４のステップの後に、前記発光素子用材料を含む発光層を形成する第５のステップと、
を有することを特徴とする発光素子の製造方法。
【請求項８】
一対の電極間に、発光素子用材料を含む発光層を有する発光素子の製造方法であって、
前記発光素子用材料の吸収強度を測定する第１のステップと、
前記第１のステップの後、前記発光素子用材料に対し、所定の時間、前記発光素子用材料の励起に係る骨格に因って吸収される波長成分を含む光を照射する第２のステップと、
前記第２のステップの後、前記発光素子用材料の吸収強度を測定する第３のステップと、
前記第１のステップにおける前記発光素子用材料の吸収強度の測定結果と、前記第３のステップにおける前記発光素子用材料の吸収強度の測定結果とを用いて、前記発光素子用材料の光化学安定性を評価する第４のステップと、
前記第４のステップの後に、前記発光素子用材料を含む発光層を形成する第５のステップと、
を有することを特徴とする発光素子の製造方法。
【請求項９】
一対の電極間に、発光素子用材料を含む発光層を有する発光素子の製造方法であって、
前記発光素子用材料の吸収強度を測定する第１のステップと、
前記第１のステップの後、前記発光素子用材料に対し、所定の時間、ストレスを与える第２のステップと、
前記第２のステップの後、前記発光素子用材料の吸収強度を測定する第３のステップと、
前記第２のステップと前記第３のステップとを繰り返し行う第４のステップと、
前記第４のステップの後、前記第１のステップにおける前記発光素子用材料の吸収強度の測定結果と、繰り返し行われた前記第３のステップにおける前記発光素子用材料の吸収強度の測定結果それぞれとを用いて、前記発光素子用材料の光化学安定性を評価する第５のステップと、
前記第５のステップの後に、前記発光素子用材料を含む発光層を形成する第６のステップと、
を有することを特徴とする発光素子の製造方法。
【請求項１０】
一対の電極間に、発光素子用材料を含む発光層を有する発光素子の製造方法であって、
前記発光素子用材料の吸収強度を測定する第１のステップと、
前記第１のステップの後、前記発光素子用材料に対し、所定の時間、前記発光素子用材料の励起に係る骨格に因って吸収される波長成分を含む光を照射する第２のステップと、
前記第２のステップの後、前記発光素子用材料の吸収強度を測定する第３のステップと、
前記第２のステップと前記第３のステップとを繰り返し行う第４のステップと、
前記第４のステップの後、前記第１のステップにおける前記発光素子用材料の吸収強度の測定結果と、繰り返し行われた前記第３のステップにおける前記発光素子用材料の吸収強度の測定結果それぞれとを用いて、前記発光素子用材料の光化学安定性を評価する第５のステップと、
前記第５のステップの後に、前記発光素子用材料を含む発光層を形成する第６のステップと、
を有することを特徴とする発光素子の製造方法。
【請求項１１】
請求項８または１０において、前記光は３２０ｎｍ以上の波長成分を含むことを特徴とする発光素子の製造方法。
【請求項１２】
請求項８、１０、または１１において、
前記発光素子用材料として、前記光の照射時間の積算時間が１００分間であるときの吸収強度が、前記光が照射されていないときの吸収強度からの低下率が２０％以下である発光素子用材料を用いることを特徴とする発光素子の製造方法。
【請求項１３】
請求項８乃至１２のいずれか一において、前記発光素子用材料はアントラセン誘導体であることを特徴とする発光素子の製造方法。